(57)【要約】【課題】  ＰＣ等を利用しにくいユーザーが有益な情報を得ることができるとともに、該情報の更新を情報発信団体等の該表示端末装置の管理者以外でもインターネット網に接続された端末から容易にかつ柔軟に行なうことができ、地域のコミュニケーション向上を支援できる。【解決手段】  電気通信網に接続されたサーバーと、該サーバーから送信される情報を表示できる表示端末装置とを備えてなる情報表示システムであって、上記サーバーには、表示装置毎に決められたＩＤ情報を含む情報群が１個または２個以上登録されており、表示端末装置から送信される、装置のＩＤ情報を含む情報提供要求を受け取ったときに、該情報群のうち、装置のＩＤ情報に関連する情報群の中から所定の表示情報を取り出して、該表示情報を組み合わせて表示指令情報とした後、該表示指令情報を表示端末装置に送信し、該装置は、受信した表示指令情報に従い表示を行なう。【選択図】  図１
2007041711.tif 000002
【特許請求の範囲】
【請求項１】
電気通信網に接続されたサーバーと、該サーバーと前記電気通信網を介して接続され、該サーバーから送信される所定の情報を表示できる１個または２個以上の表示端末装置とを備えてなる情報表示システムであって、
前記サーバーは、該サーバーの記憶装置に、少なくとも前記表示端末装置毎に決められたＩＤ情報を含む情報群が、１個または２個以上登録されており、
前記表示端末装置から所定時間間隔で該サーバーに送信される、該表示端末装置のＩＤ情報を含む情報提供要求を受け取ったときに、前記記憶装置内の情報群のうち、前記表示端末装置のＩＤ情報に関連する１個または２個以上の情報群それぞれの中から所定の表示情報を取り出して、該表示情報を組み合わせて表示指令情報とした後、該表示指令情報を前記表示端末装置に送信し、
前記表示端末装置は、受信した前記表示指令情報に従い表示を行なうことを特徴とする情報表示システム。
【請求項２】
前記情報群は、表示時刻範囲の情報が含まれており、前記サーバーは、前記情報群のうち、前記情報提供要求を受け取った時刻が前記表示時刻範囲内である情報群から表示情報を取り出して、これらを組み合わせて表示指定情報とすることを特徴とする請求項１記載の情報表示システム。
【請求項３】
前記情報群は、該情報群の登録を許可されたユーザーが、前記電気通信網に接続された任意の端末装置より登録できることを特徴とする請求項１または請求項２記載の情報表示システム。
【請求項４】
前記表示端末装置は、蛍光表示管モジュールであることを特徴とする請求項１、請求項２または請求項３記載の情報表示システム。
【発明の詳細な説明】
【技術分野】
【０００１】
本発明は、インターネット網等の電気通信網に接続されたサーバーおよび表示端末装置を利用し、観光情報、郷土情報、行政情報等の各種情報をサーバーから表示端末装置に自動配信して表示させる情報表示システムに関し、特に表示端末装置が蛍光表示管モジュールである情報表示システムに関する。
【背景技術】
【０００２】
近年インターネットの普及により、情報の共有化が急速に進んできている。情報を必要とする人は、例えば、インターネット網に接続されたＰＣ（Personal Computer）、携帯電話、ＰＤＡ（Personal Digital Assistance）等の端末装置を用いて情報を得ている。情報取得までのフローは、ユーザーが端末装置からＷｅｂサーバーに所定の要求を行ない、これに対応した応答がサーバーから端末装置に送られるという構成となっている。従来、このような情報通信において、所定の広告を表示端末に表示し、また該広告に対する課金をするシステム（特許文献１参照）等が開示されている。
【０００３】
一方、所定の場所に固定された蛍光表示管モジュール等の表示端末装置において、例えば、天気等の定められた情報のみを継続的に表示するものがある。蛍光表示管モジュールは、定まった仕様書に基づいて製造される汎用品とともに、それぞれの用途に適応させた、または顧客の要望に応じたカスタムデザインの蛍光表示管モジュールとして製造されている（特許文献２参照）。特に近年では、該蛍光表示管モジュール内のメモリに処理プログラム（マクロ等）を書き込む専用のソフトウェアなどが添付されて、ユーザー自身が該ソフトウェアを利用して、表示データ、処理プログラムによる表示動作などを自由に設定できる蛍光表示管モジュールなどがある。
このような表示端末装置を用いることで、該表示端末装置をユーザーが、該表示端末装置に専用の接続手段でアクセスし表示内容を詳細に設定することにより、定められた情報を所定の時刻、パターンなどで表示することができる。
【０００４】
しかしながら、ＰＣや携帯電話を利用した情報の共有では、ユーザーが高齢者であるなどＰＣ等の利用が困難な状況である場合や、出先や旅先であり端末を所持していない場合等には情報を得ることができないという問題がある。また、ユーザーが必要な情報を能動的に要求する必要があるが、土地感のない旅先等である場合には、観光名所、イベントなど、どのような情報があるかということ自体を把握していない場合が多い。これに対して、所定の場所の固定された表示端末装置では、例えば、その地域の観光情報などを継続的に表示させることにより、ユーザーが受動的に有益な情報を得ることができる。しかし、この表示端末装置では、表示情報の更新は管理者が行なう必要があり、管理者が更新を頻繁に行なわなければ、最新の情報が表示されないという問題や、表示する情報がその管理者に係る情報のみであり情報量が少ないという問題がある。また、複数の表示端末装置を用い、異なる箇所で同様の表示を行なう場合には、表示端末装置それぞれで同じ設定を行なう必要があり、手間がかかるという問題がある。
【特許文献１】特開２００２−１５２０７号公報（特許請求の範囲）
【特許文献２】特開２００３−２９６６１号公報（特許請求の範囲）
【発明の開示】
【発明が解決しようとする課題】
【０００５】
本発明は、このような問題に対処するためになされたもので、所定の複数箇所に設置される表示端末装置に、該表示端末装置に接続されたサーバーから情報を発信し表示を行なうことにより、ＰＣ等を利用しにくいユーザーが有益な情報を得ることができるとともに、該情報の更新を情報発信団体等の該表示端末装置の管理者以外でもインターネット網に接続された端末から容易にかつ柔軟に行なうことができ、地域のコミュニケーション向上を支援できる情報表示システムを提供することを目的とする。
【課題を解決するための手段】
【０００６】
本発明の情報表示システムは、電気通信網に接続されたサーバーと、該サーバーと上記電気通信網を介して接続され、該サーバーから送信される所定の情報を表示できる１個または２個以上の表示端末装置とを備えてなる情報表示システムであって、上記サーバーは、該サーバーの記憶装置に、少なくとも前記表示端末装置毎に決められたＩＤ情報を含む情報群が、１個または２個以上登録されており、上記表示端末装置から所定時間間隔で該サーバーに送信される、該表示端末装置のＩＤ情報を含む情報提供要求を受け取ったときに、上記記憶装置内の情報群のうち、前記表示端末装置のＩＤ情報に関連する１個または２個以上の情報群それぞれの中から所定の表示情報を取り出して、該表示情報を組み合わせて表示指令情報とした後、該表示指令情報を上記表示端末装置に送信し、上記表示端末装置は、受信した該表示指令情報に従い表示を行なうことを特徴とする。
また、上記表示端末装置は、蛍光表示管モジュールであることを特徴とする。
【０００７】
上記情報群は、表示時刻範囲の情報が含まれており、上記サーバーは、該情報群のうち、上記情報提供要求を受け取った時刻が該表示時刻範囲内である情報群から表示情報を取り出して、これらを組み合わせて表示指定情報とすることを特徴とする。
【０００８】
上記情報群は、該情報群の登録を許可されたユーザーが、上記電気通信網に接続された任意の端末装置より登録できることを特徴とする。
【０００９】
本発明において、ＩＤ（identification）情報とは、複数ある表示端末装置を各々識別するための情報であり、該表示端末装置毎に決められた番号などである。なお、該番号は重複していてもよい。
また、本発明において「情報群を登録する」とは、該情報群のデータをサーバーの記憶装置に保存することをいう。
【発明の効果】
【００１０】
本発明の情報表示システムは、所定の場所に設置された蛍光表示管モジュール等の表示端末装置に、該表示端末装置に接続されたサーバーから情報を発信し表示を行なうので、ＰＣ等を利用しにくいユーザーが有益な情報を得ることができる。また、サーバーが、いずれの表示端末装置からの要求であるかをＩＤ情報で区別し、サーバー内に登録されている所定の情報群から表示端末装置毎に必要な情報を選択するので、表示端末装置毎での表示文字等の設定が不要である。よって、サーバー側で、複数の表示端末装置で表示文字および時間帯などの組み合わせを自在に設定できる。
【００１１】
該情報群の登録は、該表示端末装置の管理者、およびこの登録を許可された情報発信団体等のユーザーが、インターネット網に接続された端末から容易にかつ柔軟に行なうことができるので、最新の情報で、かつ多様な情報を表示することができる。
地域の観光情報、郷土情報、行政情報などの情報群を、それぞれ情報発信団体、役所広報などの複数のユーザーが登録し、これらを適宜組み合わせた情報を各所で表示させることにより、地域のコミュニケーション向上を図ることができる。
【発明を実施するための最良の形態】
【００１２】
本発明の情報表示システムを図１を参照して説明する。図１は、本発明の情報表示システムの構成を示す模式図である。
サーバー１は、電気通信網２を介して、１個または２個以上の表示端末装置３と接続されている。またサーバー１の記憶装置１ａに情報群４を登録するために、電気通信網２を介して、情報群４の登録を許可されたユーザー５の端末装置６が接続されている。本発明の情報表示システムは以上のような構成からなっている。
【００１３】
表示端末装置３は、該装置で表示すべき表示データ等をサーバー１から得るために、所定の時間間隔毎に、サーバー１へ情報提供要求を電気通信網２を介して送信でき、かつ、サーバー１から送られてくる表示指令情報に従い表示を行なえる装置であればよい。なお、表示文字、画像等のデータはサーバー１より送信可能であるため、表示端末装置自体の記憶装置に保存されていなくてもよい。
このような表示端末装置としては、所定の処理プログラムを実行して任意の表示動作等を行なえる蛍光表示管モジュールがある。蛍光表示管モジュールの具体例としては、ノリタケ伊勢電子（株）社製ＧＵ−３０００シリーズなどが挙げられる。
【００１４】
電気通信網２としては、表示データ等の受け渡し可能な通信網であればよく、インターネット網、または、小規模なＬＡＮ（ローカルエリアネットワーク）などが挙げられる。本発明は、一施設内だけではなく、地域内の離れた場所への情報伝達により地域のコミュニケーション向上を図ることが目的であるため、電気通信網２としては、インターネット網を利用することが好ましい。
【００１５】
サーバー１は、情報群４を保存できる記憶装置１ａを備え、後述する動作を実行できるものであればよく、一般的なＷｅｂサーバーを用いることができる。データの送受信、条件判断およびユーザー制限などの後述する動作は、該サーバーに搭載されたＯＳ上で動作するソフトウェア等で行なう。
【００１６】
情報群４は、サーバー１の記憶装置１ａ内に１個または２個以上登録されている。情報群それぞれは、特定のジャンル、話題毎に分けられたものである。各情報群は、該情報群を表示すべき表示端末装置を特定するためのＩＤ情報、表示時刻範囲情報、表示メッセージ情報などのデータを備えている。
【００１７】
ユーザー５は、該情報群の登録を許可されたユーザーである。この登録の許可は、サーバー１の管理者が行なう。ユーザー５は、端末装置６よりサーバー１にアクセスし情報群の編集を行なう。各ユーザーの情報群への登録許可は、上記アクセスにパスワード等を設定し管理する。
ユーザーとしては、表示端末装置を設置する駅、観光施設、ホテルおよび病院などの管理者、観光施設、情報発信団体および役所広報などの団体等が挙げられる。
【００１８】
次に、サーバー１、表示端末装置３の動作、およびユーザーによる登録操作を図２を参照して説明する。図２は、ユーザー、サーバーおよび表示端末装置間での情報の受け渡し手順を示す図である。
［サーバーの動作］
サーバー１は、表示端末装置３から該表示端末装置のＩＤ情報を含む情報提供要求を受け取る（１）。
該ＩＤ情報に基づき表示指令情報を作成する（２）。表示指令情報の具体的な作成手順は後述する。
その後、該表示指令情報を表示端末装置３に送信する（３）。
【００１９】
［表示端末装置の動作］
所定時間間隔で、自身のＩＤ情報（例えば、ＩＤ＝１）を含む情報提供要求をサーバー１に送信する（１）。ここで、所定時間間隔は、１、２分など具体的な時間を設定する他、例えばスクロール表示などにおいて、直前の表示内容のスクロール表示終了時毎などでもよい。
上記情報提供要求のリターンとして、サーバー１より表示指令情報を受け取ったとき（３）、表示指令情報に基づき表示部にメッセージ、画像等を表示する。表示指令情報の中には、表示するメッセージ等のほか、スクロール速度等も含まれていてもよい。
【００２０】
［ユーザーの操作］
ユーザーは、端末装置よりサーバー１にアクセスし、ブラウザ上から情報群の登録を行なう（４）。情報群への登録を許可されたユーザーは、所定のログイン名、パスワードなどを入力してサーバーへアクセスする。
【００２１】
次に、サーバーにおける表示指令情報の作成手順の一例を図３を参照して説明する。
図３に示すようにサーバー１には、情報群Ａ、情報群Ｂ、情報群Ｃおよび情報群Ｄの４つの情報群が登録されている。それぞれの情報群は、情報群Ａの下部に示すように、該情報群を表示すべき表示端末装置を特定するためのＩＤ情報（ａ）、表示時刻範囲情報（ｂ）、メッセージ情報（ｃ）、その他の情報（ｄ）等から構成されている。
ここで、（ＩＤ＝１）のＩＤ情報を有する表示端末装置より、情報提供要求を受けた場合、サーバー１は情報群Ａ〜Ｄの中で、ＩＤ＝１の表示端末装置に表示すべき情報群、すなわち、情報群Ａ、情報群Ｂおよび情報群Ｄを選択する。
さらに、情報提供要求を受け取った時刻が１３時であった場合、上記３つの中で表示時刻範囲内である情報群、すなわち、情報群Ａおよび情報群Ｄを選択する。
最後にＩＤ情報（ａ）、および、表示時刻範囲情報（ｂ）に基づき選出された、上記情報群Ａおよび情報群Ｄの中の、例えばメッセージ情報（ｃ）等の表示情報を組み合わせて表示指令情報（ｅ）を作成する。作成後、サーバーは、該表示指令情報（ｅ）を表示端末装置に送信する。
【００２２】
組み合わせ方法は、表示端末装置が一行表示などである場合には、図３に示したように前後直列的に連結し、多段表示可能な場合では、上下に連結してもよい。
また、表示端末装置として蛍光表示管モジュールを用いた場合では、表示範囲および表示パターンが限定される。サーバーは、各蛍光表示管モジュール毎の表示可能なフォーマットを記憶装置内に備えておくことにより、上記表示指令情報を、各蛍光表示管モジュールに適切な形式（文字数、行数等）で作成することができる。
【００２３】
本発明の情報表示システムを用いた一実施例を図４に示す。図４は、本発明の情報表示システムの一実施例を示す模式図である。
図中において、観光施設、情報発信団体、および役所広報がユーザーであり、ＷＥＢサーバー上に、情報群１（観光情報）、情報群２（○△情報）および情報群３（行政情報）が登録されている。また、表示端末装置として蛍光表示管モジュールが、駅構内、観光施設、ホテルおよび病院待合室に設置されている。それぞれの蛍光表示管モジュールには、ＩＤ番号が付されており、該番号により、いずれの施設に設置したものであるかを判別できる。また、異なる蛍光表示管モジュールにおいて同じ表示を行なう場合には、同じＩＤ番号を付しておく。
情報群１および情報群２は、観光施設および情報発信団体が登録可能となっており、情報群３は、役所広報のみが登録可能となっている。
また、図に示すように、ＷＥＢサーバー上に、ホテルや病院など、任意の施設固有の情報群を登録しておくこともできる。具体的には、ホテル固有の情報群へのアクセスをホテルからのみ許可するとともに、該情報群のＩＤ情報を、ホテルに設置した蛍光表示管モジュールのＩＤ番号のみにしておく。
【００２４】
駅構内、観光施設、ホテルおよび病院において設置された蛍光表示管モジュールの管理者、観光施設、情報発信団体および役所広報の団体等のユーザーは、任意の情報群の登録を行なうことができ、かつ、必要な情報群をＩＤ情報の登録により選択し所定の蛍光表示管モジュールに表示させることができる。
図４において、駅構内では観光情報が表示され、観光施設では、観光情報および○△情報が表示され、ホテルでは、観光情報およびホテルのプライベート情報が表示され、病院待合では、行政情報および病院のプライベート情報が表示される。
また、各蛍光表示管モジュールでの表示は、情報群毎に設定された表示時刻の範囲内で行なわれる。
【産業上の利用可能性】
【００２５】
本発明の情報表示システムは、サーバーにインターネット網を介して接続された蛍光表示管モジュールを所定の場所に設置するだけで導入でき、多様な情報を表示することができるので、観光地域等に好適に導入することができる。
【図面の簡単な説明】
【００２６】
【図１】本発明の情報表示システムの構成を示す模式図である。
【図２】ユーザー、サーバーおよび表示端末装置間での情報の受け渡し手順を示す図である。
【図３】サーバーにおける表示指令情報の作成手順の一例を示す図である。
【図４】本発明の情報表示システムの一実施例を示す模式図である。
【符号の説明】
【００２７】
１  サーバー
２  電気通信網
３  表示端末装置
４  情報群
５  ユーザー
６  端末装置
【図１】
2007041711.tif 000003
【図２】
2007041711.tif 000004
【図３】
2007041711.tif 000005
【図４】
2007041711.tif 000006